(57)【要約】    【課題】  簡易かつ確実に針体２と針柄３とを固定する。    【解決手段】  鍼灸針１の針柄３を、板状のバネ材を丸めて摺割部３ｃを有する円筒状に形成し、この針柄３の中間部を外側から内側へプレス加工して、針柄３と針体２とを固定する第１固定部３ａを形成し、針柄３の先端部を絞り加工して針柄３と針体２とを固定する第２固定部３ｂを形成した。【選択図】  図１
2005168629.tif 000002
【特許請求の範囲】
【請求項１】
先端に針先部が形成された針体と、この針体の後端側を覆うように取り付けられる円筒状の金属製の針柄とを備える鍼灸針において、
前記針柄を、板状のバネ材を丸めて摺割部を有する円筒状に形成する一方、
この針柄の中間部を外側から内側へプレス加工して、針柄と針体とを固定する第１固定部を形成し、
針柄の先端部を絞り加工して針柄と針体とを固定する第２固定部を形成したことを特徴とする鍼灸針。
【請求項２】
前記第２固定部は、前記板状のバネ材において針柄の先端側となる端縁に複数の凹凸を形成しておき、針柄の先端部を絞り加工することで、複数の凸部により針体を固定することを特徴とする請求項１記載の鍼灸針。
【請求項３】
円筒状の針柄の後端側を、絞り加工により丸めたことを特徴とする請求項１または請求項２記載の鍼灸針。
【発明の詳細な説明】
【技術分野】
【０００１】
本発明は、鍼灸針に関する。
【背景技術】
【０００２】
鍼灸針（毫針）は、針柄と針体とからなり、治療を行う際には、細い針体を直接手で持って治療することは困難であるため、針体に針柄を取り付けて持ちやすい形状にしてある。
従来の針柄は、ステンレスの焼きなまし材による厚肉パイプを適切な長さに切断して形成している。そして、針柄の中に針体を入れ、プレス加工により針柄の一箇所を内側に変形させることで針体と針柄とを固定している。
【０００３】
しかし、針柄は厚肉パイプであるため、針柄を変形させることで、この中に挿入された針体を固定する力をコントロールすることは困難である。このため、針柄を内側に変形させる力が弱かった場合には、針体が針柄から抜けてしまうおそれがあった。そして、針柄の一箇所で針体を固定しているため、治療の最中に針体が不安定に動くおそれがある。更に、針体が針柄の中央に固定されない等の問題もある。
【０００４】
また特許文献１では、鍼灸針において、針体の後端部をジグザグに変形させ、この部分を針柄に挿入すること及び針柄の中間を所定間隔で外側からカシメして固着することが記載されている。そして、金属管製の針柄に針体の後端部を挿入し、針柄の先端部をハンダ付けすることも記載されている。
【特許文献１】特開平８−１３１５１３号公報
【発明の開示】
【発明が解決しようとする課題】
【０００５】
しかしながら、特許文献１に記載の鍼灸針のように、針体と針柄とを固定するため、針体をジグザグに変形させること若しくはハンダ付けをすることは非常に手間がかかるという問題があった。
本発明は、このような問題に着目してなされたもので、簡易かつ確実に針体と針柄とを固定することを目的とする。
【課題を解決するための手段】
【０００６】
そのため本発明では、鍼灸針の針柄を、板状のバネ材を丸めて摺割部を有する円筒状に形成する一方、この針柄の中間部を外側から内側へプレス加工して、針柄と針体とを固定する第１固定部を形成し、更に、針柄の先端部を絞り加工して針柄と針体とを固定する第２固定部を形成した。
【発明の効果】
【０００７】
本発明によれば、針柄を、板状のバネ材を丸めて摺割部を形成しているため、針柄の中で針体を確実に固定することができ、針抜け事故の防止ができるという効果がある。そして、針柄の第１固定部及び第２固定部の２点により針体を固定しているため、針体を確実に固定しつつ、針体を針柄の軸中心に位置合わせができるという効果がある。更に、針体をジグザグに変形させることやハンダ付けをすること等の必要がなく、簡易な構成とすることができるという効果がある。
【発明を実施するための最良の形態】
【０００８】
以下、図面を用いて本発明の実施形態について説明する。
図１は、本発明の鍼灸針１の構成を示す図であり、（イ）は正面図、（ロ）は（イ）のＡ−Ａ線における拡大断面図である。
鍼灸針１は、針体２と針柄３とから構成されている。
針体２は、先端に先細の針先部２ａが形成されている。針体２の後端部２ｂは、直線状に形成され、針柄３内に挿入されている。
【０００９】
針柄３は、所定長さの薄肉円筒状に形成されており、軸方向における中間部（後端側寄りの一部）において針体２の後端部２ｂを固定する第１固定部３ｂと、先端側（針体２の針先部２ａ側）において針体２の後端部２ｂを固定する第２固定部３ａとが形成されている。
なお、針柄３は、薄いステンレスのバネ材にて形成されている。これにより、軽くて丈夫な針柄３を形成することができる。
【００１０】
第１固定部３ａは、針柄３の後端側（図１（イ）の右側）に形成され、プレス加工により外側から内側に変形されることで針体２の後端部２ｂを固定する。なお、第１固定部３ａは、第２固定部３ｂから所定距離だけ離れた位置で、且つ針柄３の後端（右端）から離れた位置に形成される。
第２固定部３ｂの先端部は、針柄３の先端に向かって断面積が減少するよう形成されており、絞り加工により外側から内側に変形されることで針体２の後端部２ｂを固定する。
【００１１】
従って、針柄３の第１固定部３ａ及び第２固定部３ｂの２点で、針体２の後端部２ｂが所定の間隔で固定される。
次に、鍼灸針１の形成、特に針柄３の第１固定部３ａ及び第２固定部３ｂの形成について図１〜図４を用いて説明する。
図２は、針柄３を展開した状態を示す図である。図３は、針柄３を筒状に丸めた状態を示す図であり、（イ）は正面図、（ロ）は側面図である。図４は、筒状に丸めた針柄３内に針体２の後端部２ｂを挿入した状態でプレス加工及び絞り加工をする状態を示す図であり、（イ）は正面図、（ロ）は側面図である。
【００１２】
針柄３は、ステンレスのバネ材であり、薄い板状に形成されている。針柄３の縦の長さＬは、針体２の後端部２ｂの直径をｄとすると針体２の円周πｄを越える長さで形成されている（Ｌ＞πｄ）。
針柄３の先端部（図２の左側）は、針柄３の先端側となる端縁に複数の凹凸を形成している。図２では、先端部は波状に形成されており、先端に向かって断面積が減少するよう形成している。この先端部が第２固定部３ｂとなる。特に、凸部（波の山）を３つ形成することで、この部分を絞り加工した後に、針体２を針柄３の軸中心位置に安定して固定可能である。なお、先端部の凹凸の形状は山型及び谷型が交互に連続する形状であってもよい。なお、第２固定部３ｂの凸部の数は、３つである必要はなく、針体２を安定して固定可能であれば複数個、例えば４つでも５つでもよい。
【００１３】
次に、図３（イ）に示すように、針柄３を丸めることで円筒状に形成する。この状態では、第２固定部３ｂは、針体２を挿入可能に開いた状態となり、図３（ロ）に示すように、針柄３に摺割部３ｃが形成される。
そして、針柄３の後端（図３（イ）の右端）を絞り加工により丸めることでアール部３ｄを形成する。これにより、施術時に術者が針を打つ際における指への刺激を少なくする。
【００１４】
次に、図４（イ）に示すように、針体２の後端部２ｂを針柄３内に挿入する。針体２の後端部２ｂは、針柄３の後端（右端）から突き出さないようにする。
この状態で、図４（ロ）に示すように、摺割部３ｃを上下からのプレス加工により、針柄３の中間部（後端側の一部）を外側から内側に変形して針体２の後端部２ｂを固定する。この時のプレス加工は、針柄３の摺割部３ｃと、その反対側の部分との２方向から行う。このようにして固定した部分が第１固定部３ａとなる（図１（イ），（ロ））。この場合、針柄３が薄い板を円筒状に形成し、摺割部３ｃをプレス加工したものであるため、針柄３内に挿入した針体２の後端部２ｂを固定する力をコントロール可能である。
【００１５】
そして、図４（イ）に示すように、針柄３の先端部を絞り加工により外側から内側に変形して針体２の後端部２ｂを固定する。このようにして固定した部分が第２固定部３ｂとなる（図１（イ））。
なお、第１固定部３ａを形成するためのプレス加工は、１つに限定されるものではなく、針柄３の軸方向に隔てて複数箇所施されていてもよい。そして、プレス形状は、図４（ロ）に示すように上下の２箇所にプレス加工を施し、図１（ロ）に示すように上下の２箇所に平坦部を形成するものに限定されるものではない。すなわち、針柄３の円周方向所定間隔で複数箇所を外側から内側へ点状にプレス加工することで、針体２の後端部２ｂを固定するようにしてもよい。
【００１６】
なお、第１固定部３ａは、針柄３の後端から所定距離だけ先端側の位置に形成される。これにより、針柄３の右端が開口した状態（面積が大きい状態）で形成され、施術時の指への刺激を少なくする。更に、前述のアール部３ｄが形成されているため、施術時の指への刺激が少なくなる。
なお、アール部３ｄは、プレス加工した後に絞り加工することで形成してもよい。
【００１７】
本実施形態によれば、先端に針先部２ａが形成された針体２と、この針体２の後端側を覆うように取り付けられる円筒状の金属製の針柄３とを備える鍼灸針１において、この針柄３を、板状のバネ材を丸めて摺割部３ｃを有する円筒状に形成する一方、この針柄３の中間部を外側から内側へプレス加工して、針柄３と針体２とを固定する第１固定部３ａを形成し、針柄３の先端部を絞り加工して針柄３と針体２とを固定する第２固定部３ｂを形成した。このため、針柄３が第１固定部３ａ及び第２固定部３ｂの２点において針体２を固定することができ、特に針体２の後端部２ｂを確実に固定することができ、針抜け事故の防止ができる。そして、従来の鍼灸針のように、針体２をジグザグに変形させることやハンダ付けをすること等の必要がなく、簡易な構成とすることができる。
【００１８】
また本実施形態によれば、第２固定部３ｂは、板状のバネ材（図２に示すように、針柄３を板状に展開した状態）において針柄３の先端側となる端縁に複数の凹凸を形成しておき、針柄３の先端部を絞り加工することで、複数の凸部により針体２を固定する。このため、針体２を針柄３の軸中心に位置合わせができる。
また本実施形態によれば、円筒状の針柄３の後端側を、絞り加工により丸めた。このため、針柄３の後端にアール部３ｄが形成され、これにより施術時の指への刺激を少なくすることができる。
【図面の簡単な説明】
【００１９】
【図１】鍼灸針の構成を示す図
【図２】針柄を板状に展開した状態を示す図
【図３】針柄を円筒状に丸めた状態を示す図
【図４】針柄内に針体の後端部を挿入した状態でプレス加工及び絞り加工をする状態を示す図
【符号の説明】
【００２０】
１  鍼灸針
２  針体
２ａ  針先部
３ａ  後端部
３  針柄
３ａ  第１固定部（後端側）
３ｂ  第２固定部（先端側）
３ｃ  摺割部
３ｄ  アール部
【図１】
2005168629.tif 000003
【図２】
2005168629.tif 000004
【図３】
2005168629.tif 000005
【図４】
2005168629.tif 000006